(57)【要約】【課題】モニタを開閉できる携帯式映像表示装置において、モニタ画面の開閉角度に応じて映像の向きを自動的に変更可能とする。【解決手段】携帯式映像表示装置１００は、映像表示部２の開閉角度を検出する検出手段１ｄと、前記映像表示部に表示される映像を回転する映像回転手段７と、前記開閉角度に応じて、映像表示部に表示される映像を前記映像回転手段を用いて回転させる映像制御手段（１６、Ｓ０７）と、前記映像制御手段の有効／無効を設定する設定手段３とを具備し、前記映像制御手段が前記設定手段により有効に設定されている場合、前記映像表示部に表示される映像は、前記開閉角度に応じて例えば１８０°回転される。【選択図】    図４
2007155796.tif 000002
【特許請求の範囲】
【請求項１】
本体と映像表示部がヒンジを介して互いに開閉可能に構成された携帯式映像表示装置であって、
前記本体と前記映像表示部の開閉角度を検出する検出手段と、
前記映像表示部に表示される映像を回転する映像回転手段と、
前記開閉角度に応じて、映像表示部に表示される映像を前記映像回転手段を用いて回転させる第１映像制御手段と、
前記第１映像制御手段の有効／無効を設定する設定手段とを具備し、
前記第１映像制御手段が前記設定手段により有効に設定されている場合、前記映像表示部に表示される映像は、前記開閉角度に応じて回転されることを特徴とする携帯式映像表示装置。
【請求項２】
前記映像表示部に表示される映像を前記映像回転手段を用いて、選択された角度だけ回転させる第２映像制御手段を更に具備し、
前記設定手段は、前記第１及び第２映像制御手段のそれぞれの有効／無効を設定し、且つ、多くとも前記第１及び第２映像手段の一方を有効に設定することを特徴とする請求項１記載の携帯式映像表示装置。
【請求項３】
第１映像制御手段は、前記映像表示部に表示される映像を１８０°回転することを特徴とする請求項１または２記載の携帯式映像表示装置。
【請求項４】
前記第２映像制御手段は、０°、９０°、１８０°、２７０°のうち、選択された回転角度で前記映像を回転することを特徴とする請求項２記載の携帯式映像表示装置。
【請求項５】
前記携帯式映像表示装置は、ポータブルＤＶＤプレイヤーであることを特徴とする請求項１〜４の何れか１項に記載の携帯式映像表示装置。
【請求項６】
本体と映像表示部がヒンジを介して互いに開閉可能に構成された携帯式映像表示装置の映像表示方法であって、
前記本体と前記映像表示部の開閉角度を検出するステップと、
前記開閉角度に応じて、前記映像表示部に表示される映像を自動的に回転させる機能の有効／無効を設定するステップと、
前記映像を回転させる機能が前記設定ステップにより有効に設定されている場合、前記映像表示部に表示される映像を、前記開閉角度に応じて回転されるステップと、
を具備することを特徴とする映像表示方法。
【請求項７】
前記映像表示部に表示される映像を、選択された角度だけ回転させる第２の機能の有効／無効を設定するステップを更に具備し、
前記設定ステップでは、前記第１及び第２機能のそれぞれの有効／無効を設定し、且つ、多くとも前記第１及び第２の機能の一方が有効に設定されることを特徴とする請求項６記載の映像表示方法。
【請求項８】
第１の機能は、前記映像表示部に表示される映像を１８０°回転することであることを特徴とする請求項６または７記載の映像表示方法。
【請求項９】
前記第２の機能は、０°、９０°、１８０°、２７０°のうち、選択された回転角度で前記映像を回転することであることを特徴とする請求項７記載の映像表示方法。
【発明の詳細な説明】
【技術分野】
【０００１】
本発明は、光ディスク等の記録媒体に記録された映像を再生して表示し、携帯可能な携帯式表示装置に関する。
【背景技術】
【０００２】
従来、携帯式のＰＣ(personal computer)が商品化されており、近年になって、光ディスク等の記録媒体に記録された映像を再生して表示し、携帯可能な携帯式表示装置が実用化されている。
【０００３】
下記特許文献１には、光ディスクを再生してＬＣＤモニタ画面で映像化する映像記録媒体再生装置を開示している。この再生装置は、壁掛け方式に対応するため、モニター画面の映像を電気的に１８０度回転させ、またスピーカからの音声も左右を反転し、同様に操作部の選択スイッチの方向も上下左右を映像と同様に反転させる。
【０００４】
また下記特許文献２には、装置本体の横置き載置を自動的に検知し、使用者の操作により映像、音声を反転させる映像表示装置が開示されている。この装置は、一側面を下部にする横置き載置の場合に、使用者がどのように横向きに寝ても、また音声をスピーカ、ヘッドホ−ンのどちらで聴取しても、自然な視聴感が得られるという作用を有する。
【特許文献１】特開２００１−２５６７６８号公報
【特許文献１】特開平１１−２２４０５９号公報
【発明の開示】
【発明が解決しようとする課題】
【０００５】
上記したような携帯式映像表示装置を、商談あるいは営業活動に使用するケースも最近では増加している。このような場合、製品のプロモーション映像、グラフ、表などを映像表示装置に表示して、商談あるいは営業活動等を円滑に進めることが出来る。そのようなとき、表示された映像を対面した人が視聴するには、モニタ画面を本体から１８０度開いた状態で、更に映像の向きが相手から見て通常の方向となるように、映像表示装置の向きを１８０°変更して、映像を示すのが好ましい。この場合、装置の向きをいちいち反転させる操作を強いることになり、操作性の面で問題がある。
【０００６】
そこで本発明は、上記状況に鑑みてなされたものであり、モニタを開閉できる携帯式映像表示装置において、モニタ画面の開閉角度に応じて映像の向きを自動的に変更可能とすることを目的とする。
【課題を解決するための手段】
【０００７】
本発明の一実施形態に係る携帯式映像表示装置は、本体と映像表示部がヒンジを介して互いに開閉可能に構成され、前記本体と前記映像表示部の開閉角度を検出する検出手段と、前記映像表示部に表示される映像を回転する映像回転手段と、前記開閉角度に応じて、映像表示部に表示される映像を前記映像回転手段を用いて回転させる第１映像制御手段と、前記第１映像制御手段の有効／無効を設定する設定手段とを具備し、前記第１映像制御手段が前記設定手段により有効に設定されている場合、前記映像表示部に表示される映像は、前記開閉角度に応じて回転される。
【発明の効果】
【０００８】
本発明によれば、モニタを開閉できる携帯式映像表示装置において、モニタ画面の開閉角度に応じて映像を自動的に反転させるモードを設定できるため、表示された映像を対面した人に示す場合、装置をいちいち反転させる操作を強いるという操作性の問題が解決される。
【発明を実施するための最良の形態】
【０００９】
以下、図面を参照して本発明の実施の形態を説明する。
【００１０】
図１は本発明の一実施形態に係る携帯式表示装置１００の概観を示す斜視図である。
【００１１】
携帯式表示装置１００は、装置本体１及び映像表示部（モニタ）２から構成される。装置本体１には、映像再生手段として例えばＤＶＤディスクドライブが内蔵され、その操作部１ａには、映像回転機能を設定するための回転機能設定スイッチ３及び映像の任意回転角度を選択するための角度選択スイッチ４を含む各種スイッチが設けられている。表示部２はＬＣＤ２ａ及び左右のスピーカ２ｂを含む。
【００１２】
映像の回転機能を設定するスイッチ３により、表示部２に表示される映像の自動回転機能または回転角度選択機能が有効となる。自動回転機能とは、表示部２の開閉角度θが所定角度以上になったとき、図２（Ｂ）のように表示部２に表示されている映像を１８０度回転して表示する機能である。また、この時表示部２内に設けられたスピーカ２ｂから出力される音声が左右反転して出力される。回転角度選択機能とは、図２（Ａ）〜図２（Ｄ）のように、０°、９０°、１８０°、２７０°のうち、回転角度選択スイッチ４により選択された角度で、映像を回転して表示する機能である。この時出力される音声は、図２（Ａ）、図２（Ｃ）、図２（Ｄ）の状態では左右無反転で出力され、図２（Ｃ）の状態のときだけ、音声が左右反転して出力される。
【００１３】
図３は、図１の携帯式表示装置１００において、本発明に係る機構部の構成を示す図である。
【００１４】
１ｂは表示部２を開閉させるためのヒンジ、１ｄは開閉角度θを検出するための角度検出センサ、１ｃはヒンジ１ｂ及び角度センサ１ｄと接続され、表示部２の開閉角度をヒンジ１ｄから角度検出センサ１ｄに伝えるためのジグである。
【００１５】
表示部２が任意の角度まで開いたとき、ヒンジ２ａの回転部に接続されている角度検出用ジグ２ｃも、表示部２ａと同じ角度まで回転する。角度検出センサ１ｄは、角度検出用ジグ１ｃの回転角度を検出し、検出した角度を電気信号に変換する。この電気信号は、本発明の映像回転／音声左右反転機能を制御する制御部１６（後述される）に送られる。
【００１６】
図４は携帯式表示装置１００の制御系の構成を示すブロック図である。
【００１７】
５は光ディスク、ハードディスク、又はメモリカード等の記録媒体に記録された映像／音声信号を再生する映像／音声再生部である。映像／音声再生部５は、例えばＤＶＤでディスクドライブである。６は本装置外部から、映像／音声信号を入力する映像／音声入力部である。
【００１８】
７は映像／音声再生部５または映像／音声入力部６からの映像信号を、制御部１６の指示に従って回転させる映像回転部である。映像回転部７はフレームメモリ７ａを有し、映像信号の書き込み順序あるいは読出し順序を制御することにより、映像を回転する。
【００１９】
８は映像回転部７から提供される映像信号を、ＬＣＤ２ａの構造あるいは特性に適合した信号に加工する映像表示制御部である。ＬＣＤ２ａは映像表示制御部８から提供される映像信号に基づいて映像を表示する。
【００２０】
図５は映像回転部７の動作を説明するための図である。ここでは、映像信号の書き込み順序を制御する場合を説明する。映像を正規の方向（回転無し）で表示する場合、映像回転部７は、フレームメモリ７ａに映像信号を図５（Ａ）のように、左から右、上から下へ書き込む。映像を９０°回転して表示する場合、映像回転部７はフレームメモリ７ａに映像信号を図５（Ｂ）のように、上から下、右から左に書き込む。同様に、映像回転部７は、映像を１８０°回転して表示する場合は、図５（Ｃ）のように右から左、下から上に、２７０°回転して表示する場合は、図５（Ｄ）のように下から上、左から右に、映像信号をフレームメモリ７ａに書き込む。
【００２１】
書き込んだ映像信号を読み出すとき、映像回転部７は全て同一の順序すなわち左から右、上から下へ映像信号を読み出す。この結果、図５（Ａ）の順序で書き込んだ映像信号は、図２（Ａ）のようにＬＣＤ２ａ上に正規表示映像として表示される。同様に図５（Ｂ）の順序で書き込んだ映像信号は図２（Ｂ）のように表示され、図５（Ｃ）の順序で書き込んだ映像信号は図２（Ｃ）のように表示され、図５（Ｄ）の順序で書き込んだ映像信号は図２（Ｄ）のように表示される。
【００２２】
図４の説明に戻り、１０は映像／音声再生部５または映像／音声入力部６からの音声信号出力先を、ヘッドホーンまたはスピーカの一方に切り替えるための音声切替部である。本実施例では、音声切替部１０の音声信号出力先はスピーカ側に設定されているものとする。１１はヘッドホーンへの音声信号を増幅するためのヘッドホーンアンプ、１２は本装置外部のヘッドホーンと接続され、ヘッドホーンアンプ１１で増幅された音声信号を出力するためヘッドホーン出力部である。
【００２３】
１３は音声切替部１０からの音声信号を左右反転させる音声左右反転部、１４はスピーカ２ｂへの音声信号を増幅するためのスピーカアンプである。１６は映像の回転及び音声の反転を制御する制御部である。２０は音声切替部１０の音声出力先を設定するたの音声切り替えスイッチである。１ｄは前述したように、表示部２の開閉角度を検出する角度検出センサーである。
【００２４】
３は映像回転部７の回転機能を設定するための回転機能設定スイッチである。図６（Ａ）は回転機能設定スイッチ３の一例を示す図である。回転機能設定スイッチ３は、例えば自動回転機能スイッチ３ａ、角度選択機能スイッチ３ｂ、回転機能無効スイッチ３ｃを含む。自動回転機能スイッチ３ａを押下すると、制御部１６の自動回転機能レジスタ１６ａ（図４参照）が”１”（有効）に設定される。自動回転機能レジスタ１６ａが”１”に設定されると、表示部２の開閉角度θ（開閉角度センサ１ｄの角度検出結果）が所定角度以上の場合に、表示部２に表示される映像を１８０°回転させて表示する自動回転機能が有効となる。
【００２５】
角度選択機能スイッチ３ｂを押下すると、制御部１６の回転角度選択機能レジスタ１６ｂ（図４参照）が”１”（有効）に設定され、上記自動回転機能レジスタ１６ａが”０”（無効）にリセットされる。回転角度選択機能レジスタ１６ｂが”１”に設定されると、回転角度選択スイッチ４により選択された角度で、映像を回転して表示部２に表示させる回転角度選択機能が有効となる。更に、ここで自動回転機能スイッチ３ａを押下すると、自動回転機能レジスタ１６ａが”１”に設定され、回転角度選択機能レジスタ１６ｂが”０”にリセットされ、自動回転機能が有効となる。このように、回転機能設定スイッチ３（３ａ、３ｂ、３ｃ）により、装置の回転表示モードが設定される。
【００２６】
図６（Ｂ）は回転角度選択スイッチ４の一例を示す図である。角度選択機能スイッチ３ｂにより、回転角度選択機能を有効にした状態で、回転角度選択スイッチ４上に示される矢印部を押下すると、該矢印に対応する角度で、映像は回転されて表示部２に表示される。このようにして選択された回転角度の情報は、回転角度選択スイッチ４において保持される。
【００２７】
図６（Ａ）の回転機能無効スイッチ３ｃを押下すると、自動回転機能レジスタ１６ａ及び回転角度選択機能レジスタ１６ｂが共に”０”にリセットされ、上記自動回転機能及び回転角度選択機能が共に無効となる。
【００２８】
次に、本発明による携帯式表示装置１００の具体的動作を説明する。図７は携帯式表示装置１００の動作の一実施例を示すフローチャートである。
【００２９】
本装置の電源が投入され（Ｓ０１）、映像／音声再生部５または映像／音声入力部６からの映像信号及び音声信号の提供が開始すると（Ｓ０２）、制御部１６は、映像の自動回転機能が有効か否かを、レジスタ１６ａにより判断する（Ｓ０３）。
【００３０】
＜映像の回転１：映像表示部の開閉による回転＞
映像の自動回転機能が”有効”に設定されていると、映像回転部７の映像回転機能を有効にし（Ｓ０４）、表示部２の開閉角度を開閉角度センサー１ｄにより検出する（Ｓ０５）。所定角度（例えば１６０°）以上で表示部２が開いていると（Ｓ０６）、映像回転部７は制御部１６の制御の下に、映像を１８０°回転して出力し、音声左右反転部１３は制御部１６の制御の下に、音声を左右反転して出力する（Ｓ０７）。尚、このように映像を自動反転する場合の映像回転角度は、１８０°に限らず、９０°、１８０°、２７０°等他の角度を設定してもよい。その場合、表示された映像を視聴する相手が、映像提示者に対してどの方向にいても、適切な向きの映像を相手に提示することが出来る。
【００３１】
ステップＳ０６において、表示部２の開閉角度θが所定角度未満の場合、ステップＳ０８のように、映像回転部７は映像を無回転で出力し、音声左右反転部１３は音声を無反転で出力する。
【００３２】
＜映像の回転２：回転角度選択機能による回転＞
ステップＳ０３において、映像の自動回転機能が有効ではない場合、制御部１６はステップＳ０９のように回転角度選択機能が有効か否かを、回転角度選択機能レジスタ１６ｂにより判断する。回転角度選択機能が有効の場合、映像回転部７の映像回転機能を”有効”に設定し（Ｓ１０）、回転角度選択スイッチ４により選択された回転角度を検出する（Ｓ０１１）。ステップＳ１２のように、選択された回転角度が１８０°の場合、ステップＳ０７のように映像回転部７は、制御部１６の制御の下に、映像を１８０°回転して出力し、音声左右反転部１３は制御部１６の制御の下に、音声を左右反転して出力する。ステップＳ１２において、選択された回転角度が１８０°以外の角度の場合、ステップＳ１３のように映像回転部７は制御部１６の制御の下に、映像を選択された角度で回転して出力し、音声左右反転部１３は制御部１６の制御の下に、音声を左右無反転で出力する。
【００３３】
ステップＳ０９において、回転角度選択機能が有効ではない場合、ステップＳ１４のように制御部１６は、映像回転部７の映像回転機能及び音声左右反転部１３の音声反転機能を”無効”に設定する。その結果、映像回転部７は映像信号を無回転で出力し、音声左右反転部１３は音声信号を無反転で出力する（Ｓ１５）。
【００３４】
ステップＳ１６では、映像回転部７から出力された映像信号が、映像表示制御部８を介してＬＣＤ２ａに供給され映像として表示される。またステップＳ１６では、音声左右反転部１３から出力された音声信号が、スピーカアンプ１４を介してスピーカ２６に供給され音声が出力される。尚、音声切替スイッチ２０により、ヘッドホーン出力が選択されている場合は、表示部２の開閉角度、あるいは回転角度選択スイッチ４により選択された回転角度に関係なく、通常の音声が左右のヘッドホーンから出力される。ステップＳ１７のように、映像の回転動作及び音声の反転動作は、装置の電源がオン状態である限り実行される。
【００３５】
以上説明したように、表示部２の開閉角度に応じて映像を自動的に反転させるモードに設定できるため、表示された映像を対面した人が視聴する場合、装置の向きをいちいち反転させる操作をする必要が無くなる。また、提示側の人の映像回転角度の選択により、対面した人が視聴しやすい向きで映像を示すことが出来るという効果がある。
【００３６】
尚、本装置は、部屋の壁面等の垂直な面に、装置本体１の底面に設けた穴及び垂直面に設けたフックなどを利用して、ヒンジを下側にして表示装置１００を吊り下げ、表示部を下方に開いて使用することが出来る。そのような場合でも、映像は自動的に正常な向きで表示される。
【００３７】
以上の説明はこの発明の実施の形態であって、この発明の装置及び方法を限定するものではなく、様々な変形例を容易に実施することができる。
【図面の簡単な説明】
【００３８】
【図１】本発明の一実施例に係る携帯式表示装置１００の概観を示す斜視図である。
【図２】映像表示部に映像が回転角度０°、９０°、１８０°、２７０°回転されてそれぞれ表示された状態を示す。
【図３】本発明に係る機構部の構成を示す図である。
【図４】携帯式表示装置１００の制御系の構成を示すブロック図である。
【図５】映像回転部７の動作を説明するための図である。
【図６】（Ａ）は回転機能設定スイッチ３を示す図、（Ｂ）は回転角度選択スイッチ４を示す図である。
【図７】携帯式表示装置１００の動作を示すフローチャートである。
【符号の説明】
【００３９】
１…本体、１ａ…操作部、２…表示部、２ａ…ＬＣＤ、２ｂ…スピーカ、３…回転機能選択スイッチ、４…回転角度選択スイッチ、
【図１】
2007155796.tif 000003
【図２】
2007155796.tif 000004
【図３】
2007155796.tif 000005
【図４】
2007155796.tif 000006
【図５】
2007155796.tif 000007
【図６】
2007155796.tif 000008
【図７】
2007155796.tif 000009